(57)【要約】【課題】動物の盗難を防止することができる動物用繋留具を提供すること。【解決手段】ベルト状の本体１と、本体１の一端側に設けた首輪部２と、首輪部２をロックするためのロック手段である錠４と、本体１の他端側に設けた環状部３とを有し、環状部３は、本体１の他端側を被繋留部材Ａに巻回可能とするために、環状部３内に首輪部２を挿通可能である。首輪部２は、本体１の一端側の先端に設けられている金具２１と、本体１の一端側の先端からそれぞれ所定距離を隔てて設けられている複数の金具２２ａ〜２２ｅとを有し、錠４により金具２１と複数の金具２２ａ〜２２ｅの内の一の金具とがロックされる。【選択図】図２
0003129654.tif 000002
【実用新案登録請求の範囲】
【請求項１】
紐状又はベルト状の本体と、
前記本体の一端側に設けた首輪部と、
前記首輪部をロックするためのロック手段と、
前記本体の他端側に設けた環状部とを有し、
前記環状部は、前記本体の他端側を被繋留部材に巻回可能とするために、前記環状部内に前記首輪部を挿通可能であることを特徴とする動物用繋留具。
【請求項２】
前記首輪部は、前記本体の一端側の先端に設けられている第１係止手段と、前記本体の一端側の先端からそれぞれ所定距離を隔てて設けられている複数の第２係止手段とを有し、前記ロック手段により前記第１係止手段と前記複数の第２係止手段の内の一の第２係止手段とがロックされることを特徴とする請求項１記載の動物用繋留具。
【請求項３】
前記第１係止手段及び前記複数の第２係止手段は環状の金具であり、前記ロック手段は錠であることを特徴とする請求項２記載の動物用繋留具。
【考案の詳細な説明】
【技術分野】
【０００１】
本考案は、主として小型犬等の動物の繋留に用いられる動物用繋留具に関する。
【背景技術】
【０００２】
従来、犬等の動物を繋留しておく場合には、動物の首に巻回した首輪と当該首輪にその一端を係止したリード（曳綱）を使用していた。そして、このリードの他端を街路樹やガードレール等の支柱に巻きつけることにより、動物を街路樹やガードレール等の支柱に繋留していた。
【０００３】
周知のように首輪はバックル（留金具）により環状の形状を有し、この首輪とリードとは、リードの一端に設けられている脱着可能な係止具により係止されている。従って、首輪はバックルを操作することにより動物から簡単に取り外すことができ、また、リードの一端に設けられている係止具を操作することにより、首輪からリードを簡単に取り外すことができる。
【考案の開示】
【考案が解決しようとする課題】
【０００４】
上記のような首輪とリードとによって動物を街路樹やガードレール等の支柱に繋留した場合、動物が容易に盗難されてしまうという問題がある。盗難される場合として以下の３つの場合がある。第１に、首輪のバックルを操作して首輪を動物から取り外し動物を盗難する。第２に、リードの一端に設けられている係止具を操作して首輪からリードを取り外し、首輪をつけたままの動物を盗難する。第３に、街路樹やガードレール等の支柱に巻きつけられているリードの他端を解き、首輪とリードとをつけたままの動物を盗難する。何れの場合においても動物の盗難は非常に容易であり、特に、近年のペットブームにより都市部において高価な小型犬の盗難事件が発生している。
【０００５】
本考案は、上記問題点に鑑み、動物の盗難を防止することができる動物用繋留具を提供することを目的とする。
【課題を解決するための手段】
【０００６】
本考案に係る動物用繋留具は、紐状又はベルト状の本体と、前記本体の一端側に設けた首輪部と、前記首輪部をロックするためのロック手段と、前記本体の他端側に設けた環状部とを有し、前記環状部は、前記本体の他端側を被繋留部材に巻回可能とするために、前記環状部内に前記首輪部を挿通可能であることを特徴とする。
【０００７】
さらに、本考案に係る動物用繋留具は、前記首輪部が、前記本体の一端側の先端に設けられている第１係止手段と、前記本体の一端側の先端からそれぞれ所定距離を隔てて設けられている複数の第２係止手段とを有し、前記ロック手段により前記第１係止手段と前記複数の第２係止手段の内の一の第２係止手段とがロックされることが好ましい。
【０００８】
さらに、本考案に係る動物用繋留具は、前記第１係止手段及び前記複数の第２係止手段が環状の金具であり、前記ロック手段が錠であることが好ましい。
【考案の効果】
【０００９】
請求項１記載の本考案に係る動物用繋留具は、ベルト状の本体と、本体の一端側に設けた首輪部と、首輪部をロックするためのロック手段と、本体の他端側に設けた環状部とを有し、環状部は、本体の他端側を被繋留部材に巻回可能とするために、環状部内に首輪部を挿通可能であることを特徴とする。本考案の動物用繋留具においては、環状部に首輪部を挿通するだけで本体の他端側を被繋留部材に容易に巻回し繋留することができる。また、錠により首輪部がロックされた状態においては、従来の盗難行為に見られるような、首輪を動物から取り外したり、リードから首輪を取り外したり、リードを被繋留部材から取り外したりする行為をすべて不可能とする。故に、本実施形態の動物用繋留具は、繋留されている動物の盗難を確実に防止することができる。
【００１０】
さらに、請求項２記載の本考案に係る動物用繋留具は、首輪部は、本体の一端側の先端に設けられている第１係止手段と、本体の一端側の先端からそれぞれ所定距離を隔てて設けられている複数の第２係止手段とを有し、ロック手段により第１係止手段と複数の第２係止手段の内の一の金具とがロックされることを特徴とする。首輪部は本体に第１係止手段及び第２係止手段を設けるだけで構成されているため動物の首部のサイズに応じた確実なロックが可能である。また、本体の一部が首輪としての機能を有しているため、本体から首輪部を取り外すことができない。このため、優れた盗難防止効果を発揮することができる。
【００１１】
さらに、請求項３記載の本考案に係る動物用繋留具は、第１係止手段及び複数の第２係止手段は環状の金具であり、ロック手段は錠であることを特徴とする。このため、非常に簡素な構成によりロック可能な首輪部を構成することができるため、製造コストの低廉化を図ることができる。
【考案を実施するための最良の形態】
【００１２】
以下、図１ないし図３を参照しつつ本考案の実施形態について詳細に説明する。本実施形態の動物用繋留具は、ベルト状の本体１と、本体１の一端側に設けた首輪部２と、首輪部２をロックするためのロック手段である錠４と、本体１の他端側に設けた環状部３とを有し、環状部３は、本体１の他端側を被繋留部材Ａに巻回可能とするために、環状部３内に首輪部２を挿通可能であることを特徴とする。
【００１３】
ベルト状の本体１は、可撓性のある素材により構成されており、その一端側には首輪部２が設けられており、その他端側には環状部が設けられている。
【００１４】
首輪部２は、本実施形態において本体１に設けられており、本体１の一端側の先端に設けられている第１係止手段である環状の金具２１と、本体１の一端側の先端からそれぞれ所定距離を隔てて設けられている複数の第２係止手段である環状の金具２２ａ〜２２ｅとを有している。この環状の金具２２ａ〜２２ｅは、図３に示すように、折り返した布片により本体１に取り付けられている。
【００１５】
ロック手段である錠４は錠前であり、鍵（図示せず）によって施錠及び開錠することができ、ロック手段である錠４により第１係止手段である金具２１と複数の第２係止手段である金具２２ａ〜２２ｅの内の一の第２係止手段である金具とをロックすることができる。なお、図２は、錠４により金具２１と金具２２ｅとがロックされた状態を示している。
【００１６】
環状部３は、本実施形態において本体１に設けられており、本体１の他端側の先端３１を本体１の他端側の先端３１から所定間隔を隔てた固定箇所３２に固定して形成されている。この環状部３は、本体１の他端側を被繋留部材Ａに巻回可能とするために、環状部３内に首輪部２を挿通可能である。従って、環状部３の内径は、少なくとも金具２１及び金具２２ａ〜２２ｅを取り付けた本体１が挿通できる大きさとなっている。
【００１７】
次に、本実施形態の動物用繋留具の使用方法について説明する。
最初に、利用者は被繋留部材Ａに環状部３が設けられている本体１の他端側を沿わせるように保持する。次に、環状部３内に首輪部２を挿通させる。この挿通作業は図１に示す矢印の方向に首輪部２を環状部３内へ導くことにより行う。最後に、図２に示すように、動物である犬の首部に首輪部を巻回させ、錠４により金具２１と複数の第２係止手段である金具２２ａ〜２２ｅの内の一の金具とをロックする。この金具２２ａ〜２２ｅの内の一の金具は、犬の首部の太さに適応する位置にある金具であり、図２において金具２２ｅが選択されている。
【００１８】
次に、本実施形態の動物用繋留具の作用効果について説明する。
本実施形態の動物用繋留具は、ベルト状の本体１と、本体１の一端側に設けた首輪部２と、首輪部２をロックするためのロック手段である錠４と、本体１の他端側に設けた環状部３とを有し、環状部３は、本体１の他端側を被繋留部材Ａに巻回可能とするために、環状部３内に首輪部２を挿通可能であることを特徴とする。本実施形態の動物用繋留具においては、環状部３に首輪部２を挿通するだけで本体１の他端側を被繋留部材Ａに容易に巻回し繋留することができる。また、錠４により首輪部２がロックされた状態においては、従来の盗難行為に見られるような、首輪を動物から取り外したり、リードから首輪を取り外したり、リードを被繋留部材から取り外したりする行為をすべて不可能とする。故に、本実施形態の動物用繋留具は、繋留されている動物の盗難を防止することができる。
【００１９】
さらに、本実施形態の動物用繋留具は、首輪部２は、本体１の一端側の先端に設けられている第１係止手段である金具２１と、本体１の一端側の先端からそれぞれ所定距離を隔てて設けられている複数の第２係止手段である金具２２ａ〜２２ｅとを有し、ロック手段である錠４により第１係止手段である金具２１と複数の第２係止手段である金具２２ａ〜２２ｅの内の一の金具とがロックされることを特徴とする。首輪部２は本体１に第１係止手段である金具２１及び第２係止手段である複数の金具２２ａ〜２２ｅを設けるだけで構成されているため動物の首部のサイズに応じた確実なロックが可能である。また、本体１の一部が首輪としての機能を有しているため、本体１から首輪部２を取り外すことができない。このため、優れた盗難防止効果を発揮することができる。
【００２０】
さらに、本実施形態の動物用繋留具は、第１係止手段及び複数の第２係止手段は環状の金具２１、２２ａ〜２２ｅであり、ロック手段は錠４であることを特徴とする。このため、非常に簡素な構成によりロック可能な首輪部２を構成することができるため、製造コストの低廉化を図ることができる。
【００２１】
なお、本実施形態において本体１はベルト状の部材であるが、本考案に係る動物用繋留具の本体は、動物を繋留するに適する紐状の形態であっても良い。この紐状の形態としては金属製又は合成樹脂製の鎖も含まれる。また、本実施形態の環状の金具２１、２２ａ〜２２ｅは錠４によりロック可能な金具の一例に過ぎない。例えば、これら金具は図４のような形態を有していても良く、ロック手段によりロック可能な形態を有する部材であれば、他の形態や金属以外の材質であっても良い。さらに、ロック手段である錠４も一例に過ぎず、電子ロック等の他の構造を有するロック手段であっても良い。また、図５に示すように、ロック手段である錠４ａの一部が第１係止手段である金具２１そのものであってもよい。
【図面の簡単な説明】
【００２２】
【図１】本考案に係る実施形態の動物用繋留具を示す斜視図である。
【図２】図１に示す動物用繋留具の使用状態を示す斜視図である。
【図３】図１に示す動物用繋留具の金具２２ｄ、２２ｅの取り付け状態を示す部分拡大斜視図である。
【図４】図１に示す動物用繋留具の金具の他の形態を示す部分拡大斜視図である。
【図５】図１に示す動物用繋留具の錠の他の形態を示す部分拡大斜視図である。
【符号の説明】
【００２３】
１  本体
２  首輪部
２１、２２ａ、２２ｂ、２２ｃ、２２ｄ、２２ｅ  金具
３１  先端
３２  固定箇所
３  環状部
４、４ａ  錠
Ａ  被繋留部材
【図１】
0003129654.tif 000003
【図２】
0003129654.tif 000004
【図３】
0003129654.tif 000005
【図４】
0003129654.tif 000006
【図５】
0003129654.tif 000007